(57)【要約】      （修正有）【課題】安定で、占用体積が小さく、構造がシンプルで操作が簡単な回転する定位足スタンドの構造を提供する。【解決手段】主に底棒１０、定位座２０、足座３０、螺接ユニット５０、スプリング４０と固定蓋６０からなり、底棒は頂面１１、底面１２及び貫通穴１４を有する。定位座はパイプ体２１及び定位部２２を有し、パイプ体は第一結合部２１１を有し、定位部の底面に縦方向の凹槽２２２、横方向の凹槽２２３及びパイプ体内部にまで貫通する穴を凹設する。パイプ体は底棒の底面から貫通穴に挿入する。足座は底座３１及び頂柱３２を有し、頂柱がパイプの穴に進入することで、底座が縦方向の凹槽と横方向の凹槽を介して回転定位することができる。該螺接ユニットは頂柱に螺接し、スプリングはパイプ体内部に位置し、固定蓋は第二結合部を有し、パイプ体の第一結合部と結合する。【選択図】図１
0003198780.tif 000002
【実用新案登録請求の範囲】
【請求項１】
底棒、定位座、足座、螺接ユニット、スプリングと固定蓋を含み、
該底棒は頂面と該頂面の相反する位置にある底面及び該頂面から該底面を貫通する貫通穴を具有し、
該定位座はパイプ体及び該パイプ体の底端と連結する定位部を具有し、該パイプ体の頂端に第一結合部を具有し、該定位部の底面に縦方向の凹槽及び、該縦方向の凹槽と十字に交差する横方向の凹槽、及び該縦方向の凹槽と横方向の凹槽の交差部分に位置し、且つ該パイプ体内部まで貫通する穴を凹設して具有し、該穴の中に内周底壁を具有し、該パイプ体は該底棒の底面から該貫通穴の中に挿入することで該第一結合部が該底棒の頂面の外に露出し、
該足座には底座及び該底座と接続する頂柱を具有し、該頂柱を該穴に挿入し、更に該パイプ体の中に進入し、該底座は外力を受けて、該定位座の縦方向の凹槽から横方向の凹槽の間で往復回転して定位を行うことができ、
該螺接ユニットは該頂柱に螺接し、
該スプリングは該パイプ体の内部に位置し、且つ該螺接ユニットと該パイプ体の内周底壁の間を抵触し、
該固定蓋は第二結合部を具有し、該第二結合部は該パイプ体の第一結合部と結合することを特徴とする回転する定位足スタンドの構造。
【請求項２】
前記底棒は更に該頂面と該底面の縁の間と連結する二つの側面を具有し、該定位部の外径は該パイプ体の外径より大きく、該定位部の頂面の上に二つのストッパー凸部を延伸し、該二つのストッパー凸部は該底棒の二つの側面に抵触することを特徴とする請求項１記載の回転する定位足スタンドの構造。
【請求項３】
前記パイプ体の第一結合部は外ねじ山であり、該固定蓋の第二結合部は内ねじ山であり、該第一結合部と該第二結合部は螺接して結合することを特徴とする請求項１記載の回転する定位足スタンドの構造。
【請求項４】
前記スプリングを該パイプ体の内壁面と該足座の頂柱の外周面の間に套設することを特徴とする請求項１記載の回転する定位足スタンドの構造。
【請求項５】
前記固定蓋の外径は該底棒の貫通穴の穴直径より大きくすることを特徴とする請求項１記載の回転する定位足スタンドの構造。
【請求項６】
前記底棒は、直立して置かれる物体と連接されることを特徴とする請求項１記載の回転する定位足スタンドの構造。
【請求項７】
前記底棒は、直立して置かれる物体の底部部品とされていることを特徴とする請求項１記載の回転する定位足スタンドの構造。
【請求項８】
前記螺接ユニットはネジとワッシャを具有し、該足座の頂柱に内ネジ山を具有し、該ネジを該足座の頂柱の内ねじ山に螺設し、該ワッシャを該ネジと該スプリングの間に挟むことを特徴とする請求項１記載の回転する定位足スタンドの構造。
【請求項９】
前記底棒の貫通穴は丸い穴とし、該定位座のパイプ体は円形パイプ体とすることを特徴とする請求項１記載の回転する定位足スタンドの構造。
【請求項１０】
前記底棒の貫通穴は非円形穴とし、該定位座のパイプ体は該貫通穴の形状に対応して非円形パイプ体とすることを特徴とする請求項１記載の回転する定位足スタンドの構造。
【請求項１１】
前記足座は更にキャスターを具有し、該キャスターを該足座の底部に設置することを特徴とする請求項１記載の回転する定位足スタンドの構造。
【請求項１２】
前記定位座の定位部の底面に円弧面を具有し、該縦方向の凹槽及び横方向の凹槽は該円弧面に凹設することを特徴とする請求項１記載の回転する定位足スタンドの構造。
【考案の詳細な説明】
【技術分野】
【０００１】
本考案は足スタンドの構造に関し、特に回転する定位足スタンドの構造に関する。
【背景技術】
【０００２】
通常直立して置く物体、例えば屏風やスタンド、ハンギングラック、ホワイドボード、告示ボード、フェンスやハンガーなどの底部に足スタンドを設置し、該足スタンドは該物品と直交することで、安定して地面に置くことができる。
【０００３】
しかし、このように物体と直交する足スタンドは安定して地面に置くことはできるが、収納する際には多くのスペースを取ることになる。仮に足スタンドを外してから収納しても、多くの面倒な問題が生じる。市場には既に多くの回転する足スタンドが案出されているが、いずれの構造も複雑すぎて、操作が不便である問題を抱えていることを鑑みて、更なる改善が必要であった。
【先行技術文献】
【特許文献】
【０００４】
【特許文献１】特開２０１１−５５８９１号公報
【考案の概要】
【考案が解決しようとする課題】
【０００５】
前記公知構造の欠点を解決するため、本考案は回転する定位足スタンドの構造を提供することを主な課題とする。
【課題を解決するための手段】
【０００６】
上述の目的を解決するために、本考案は回転する定位足スタンドの構造の構造を提供するものである。従来技術の足スタンドは収納時にスペースを占用し、構造が複雑すぎて、操作が不便などの問題があった。よって本考案では回転する定位足スタンドの構造を提供する。それに含まれるのは底棒、定位座、足座、螺接ユニット及びスプリングと固定蓋である。該底棒は頂面と該頂面の相反する位置にある底面及び該頂面から該底面を貫通する貫通穴を具有する。該定位座はパイプ体及び該パイプ体の底端と連結する定位部を具有する。該パイプ体の頂端に第一結合部を具有し、該定位部の底面に縦方向の凹槽及び、該縦方向の凹槽と十字に交差する横方向の凹槽、及び該縦方向の凹槽と横方向の凹槽の交差部分に位置し、且つ該パイプ体内部まで貫通する穴を凹設して具有する。該穴の中に内周底壁を具有する。該パイプ体は該底棒の底面から該貫通穴の中に挿入することで該第一結合部が該底棒の頂面の外に露出する。該足座には底座及び該底座と接続する頂柱を具有し、該頂柱を該穴に挿入し、更に該パイプ体の中に進入する。該底座は外力を受けて、該定位座の縦方向の凹槽から横方向の凹槽の間で往復して回転して定位を行うことができる。該螺接ユニットは該頂柱に螺接する。該スプリングはパイプ体内部に位置し、且つ該螺接ユニットと該パイプ体の内周底壁の間を抵触する。該固定蓋は第二結合部を具有し、該第二結合部は該パイプ体の第一結合部と結合する。それにより収納時に占用するスペースを狭くすることができ、構造がシンプル及び操作が簡単などの効果を持つ。
【０００７】
前記の回転する定位足スタンドの構造において、該底棒は更に該頂面と該底面の縁の間と連結する二つの側面を具有し、該定位部の外径は該パイプ体の外径より大きい。該定位部の頂面の上に二つのストッパー凸部を延伸し、該二つのストッパー凸部は該底棒の二つの側面に抵触することで、該定位座と該底棒が相対して回転するのを防止する。
【０００８】
前記の回転する定位足スタンドの構造において、該パイプ体の第一結合部は外ねじ山であり、該固定蓋の第二結合部は内ねじ山である。該第一結合部と第二結合部は螺接して結合することで、該固定蓋を該定位座と結合する。
【０００９】
前記の回転する定位足スタンドの構造において、該スプリングを該パイプ体の内壁面と該足座の頂柱の外周面の間に套設することで、該足座を上げる弾力性を提供する。
【００１０】
前記の回転する定位足スタンドの構造において、該固定蓋の外径は該底棒の貫通穴の穴直径より大きくすることで、該定位座と該底棒が自ら外れるのを防止する。
【００１１】
前記の回転する定位足スタンドの構造において、該底棒は屏風、スタンド、ハンギングラック、ホワイドボード、告示ボード、フェンスやハンガーなど如何なる一つの直立して置かれる物体と連接される。
【００１２】
前記の回転する定位足スタンドの構造において、該底棒は屏風、スタンド、ハンギングラック、ホワイドボード、告示ボード、フェンスやハンガーなど如何なる一つの直立して置かれる物体の底部部品とすることができる。
【００１３】
前記の回転する定位足スタンドの構造において、該螺接ユニットはネジとワッシャを具有し、該足座の頂柱に内ネジ山を具有し、該ネジを該足座の頂柱の内ねじ山に螺設し、該ワッシャを該ネジと該スプリングの間に挟むことで、該スプリングの位置を制限する。
【００１４】
前記の回転する定位足スタンドの構造において、該底棒の貫通穴は丸い穴とし、該定位座のパイプ体は円形パイプ体とすることで、該パイプ体を該貫通穴の中に挿入しやすくなる。
【００１５】
前記の回転する定位足スタンドの構造において、該底棒の貫通穴は非円形穴とし、該定位座のパイプ体は該貫通穴の形状に対応して非円形パイプ体とする。それにより該パイプ体を該貫通穴の中に挿入しやすくなり、且つ該定位座が該底棒に相対して回転するのを防止する。
【００１６】
前記の回転する定位足スタンドの構造において、該足座は更に若干（少なくとも１つ）のキャスターを具有し、該キャスターを該足座の底部に設置することで、動かす或いは運搬する際に手間を省くことができる。
【００１７】
前記の回転する定位足スタンドの構造において、該定位座の定位部の底面に円弧面を具有し、該縦方向の凹槽及び横方向の凹槽は該円弧面に凹設する。
【考案の効果】
【００１８】
本考案の足座は回転して該定位座の横方向の凹槽或いは縦方向の凹槽内に定位することができ、該底棒とは垂直に交差或いは平行に重なる形態を呈することで、安定して置く、及び占用体積を減らす効果に達し、且つ構造がシンプルで操作が便利である。
【図面の簡単な説明】
【００１９】
【図１】本考案の最良実施例の立体分解図である。
【図２】図１の実施例の立体組立図である。足座と底棒が垂直に重なる様子を呈す。
【図３】図１の実施例の立体組立図である。足座と底棒が平行に重なる様子を呈す。
【図４】図１の実施例の局部部品立体図である。
【図５】図１の実施例の使用立体図である。足座と物体が垂直に交わる様子を呈す。
【図６】図１の実施例の使用立体図である。足座と物体が平行に重なる様子を呈す。
【図７】図１の実施例の局部断面図である。足座と底棒が垂直に交わる様子を呈す。
【図８】図１の実施例の局部断面図である。足座と底棒が平行に重なる様子を呈す。
【図９】図１の実施例の別の使用状態の組立図である。
【図１０】本考案の第２実施例の立体組立図である。
【考案を実施するための形態】
【００２０】
以下、本考案の構造と特徴および効果を、最良実施例と図面を参照しながら詳細に説明する。
【実施例１】
【００２１】
図１から図８に示すのは、本考案の第１実施例が提供する一つの回転する定位足スタンドの構造１００である。それに含まれるのは底棒１０、二つの定位座２０、二つの足座３０、二つのスプリング４０、二つの螺接ユニット５０及び二つの固定蓋６０である。
【００２２】
図１から図３に示すように、該底棒１０は頂面１１と該頂面１１の相反する位置にある底面１２、該頂面１１と該底面１２の縁の間と連結する二つの側面１３、及び該頂面１１から該底面１２を貫通する二つの貫通穴１４を具有する。該二つの貫通穴１４は予定した距離で開ける。
【００２３】
図１〜図４に示すように、該各定位座２０は一体成型したものであり、中空のパイプ体２１及び該パイプ体２１の底端と連結する定位部２２を具有する。該パイプ体２１の頂端の外周面の上に第一結合部２１１を具有し、該第一結合部２１１は外ねじ山であり、該定位部２２の外径は該パイプ体２１の外径より大きい。該定位部２２の頂面の上に二つのストッパー凸部２２１を延伸し、該定位部２２の底面は円弧面である。該円弧面に十字に交差する縦方向の凹槽２２２と横方向の凹槽２２３を形成して凹設する。また、該縦方向凹槽２２２と該横方向の凹槽２２３の交差部分に、該パイプ体２１の内部まで貫通する穴２２４を形成し、該穴２２４の中に内周底壁２２５を具有する。該定位座２０のパイプ体２１は該底棒１０の底面１２から該貫通穴１４の中に挿入することで、該パイプ体２１の第一結合部２１１が該底棒１０の頂面１１の外に露出する。該定位部２２の二つのストッパー凸部２２１はそれぞれ該底棒１０の二つの側面１３に抵触することで、該定位座２０と該底棒１０は相対して回転できない。
【００２４】
図１〜図３に示すように、該各足座３０には底座３１及び該底座３１の中段の頂面と接続する頂柱３２を具有し、該頂柱３２の頂面に内ねじ山３２１を具有する。該頂柱３２を該定位座２０の穴２２４に挿入し、更に該パイプ体２１の中に進入する。
【００２５】
図１〜図３に示すように、該各スプリング４０を該定位座２０のパイプ体２１内に入れ、且つ該パイプ体２１の内壁面と該足座３０の頂柱３２の外周面の間に套設する。該スプリング４０の底端は該パイプ体２１の内周底壁２２５の上を抵触する。
【００２６】
図１〜図３に示すように、該各螺接ユニット５０は該足座３０の頂柱３２と螺接するためであり、該スプリング３０の頂端と抵触する。
【００２７】
図１〜図３に示すように、該各固定蓋６０の外径は該底棒１０の貫通穴１４の穴直径より大きく、該固定蓋６０は第二結合部６１を具有し、該第二結合部６１は内ねじ山である。該定位座２０の第一結合部２１１と螺接して結合することで、該固定座２０が貫通穴１４の外に外れるのを防止する。
【００２８】
上記が本考案の最良実施例が提供する一つの回転する定位足スタンドの構造１００の各部品及び組立方向の紹介である。引き続き当該使用特徴を説明する。
【００２９】
図５及び図６に示すように、本考案の底棒１０は屏風、スタンド、ハンギングラック、ホワイドボード、告示ボード、フェンスやハンガーなど直立して置く物体と連接することができ、本実施例では屏風９０との連接を説明する。
【００３０】
本考案を使用したい場合、安定して置けるよう、該足座３０を該底棒１０に相対して回転することで、該足座３０の底座３１を該定位座２０の横方向の凹槽２２３内に巻き込んで更に定位することができる。このようにすれば、図５及び図７に示すように、該足座３０は該底棒１０と垂直に十字状に交差して重ねることで、安定して屏風９０を立てることができる。
【００３１】
図６及び図８に示すように、本考案を収納したい場合は、該足座３０を該定位座２０の横方向の凹槽２２３から該縦方向の凹槽２２２内に回転して定位することで、該足座３０と該底棒１０は平行に重なり、占用するスペースを減らす。該足座３０を横方向の凹槽２２３から縦方向の凹槽２２２内に回転し、或いは該縦方向の凹槽２２２から該横方向の凹槽２２３内に回転する際、該足座３０の底座３１は該横方向の凹槽２２３と該縦方向の凹槽２２２の間にある円弧面を通る。よって、該足座３０は同時に螺接ユニット５０を動かして該スプリング４０を圧縮することで、該足座３０はやや下降し、それによりスムーズに該円弧面を通過することができる。該足座３０の底座３１が該横方向の凹槽２２２或いは縦方向の凹槽２２２内に滑り入ると、該足座３０は該スプリング４０の弾力性により上げられて且つ該横方向の凹槽２２２或いは縦方向の凹槽２２２内に定位する。
【００３２】
本考案の足座３０を回転して該定位座２０の横方向の凹槽２２３或いは縦方向の凹槽２２２内に定位することで、底棒１０とは垂直に交差或いは平行に重なる形態を呈するため、安定して置く及び占用体積を減らす効果に達する。
【００３３】
また、前記実施例において、該螺接ユニット５０はネジ５１とワッシャ５２を具有し、該ネジ５１を該足座３０の頂柱３２の内ネジ山３２１に螺接し、該ワッシャ５２を該ネジ５１と該スプリング４０の間に挟むことで、該足座３０の頂柱３２を螺接し、及び該スプリング４０を押さえる効果に達する。
【００３４】
次に、上記の実施例において、該底棒１０の貫通穴１４は丸い穴とし、該定位座２０のパイプ体２１は円形パイプ体とする。しかし実際該貫通穴１４は円形穴でなくても良い(例えば四角形の穴或いは六角形の穴など)、該定位座２０のパイプ体２１は該貫通穴１４の形状に合わせて(対応して)非円形穴の造形(例えば四角形のパイプ或いは六角形のパイプなど)にすることができる。このようにすれば、該パイプ体２１を該貫通穴１４内に挿入できるだけでなく、同時に制動の効果にも達する。該定位部２２にストッパー凸部２２１を設置する必要がなく、必要の製造材料を減らし、及び金型をシンプルにできるため、コストを下げる結果にも繋がる。
【００３５】
図９は図１に示す実施例の別の使用状態の組立図である。一つの足座３０と底棒３１は垂直状態を呈し、もう一つの足座３０と底棒３１は平行状態を呈す。この使用方法は障害物のある場所での使用、或いは二つの回転する定位足スタンドの構造１００を例えば９０度に並列して使用する場所など、非直線に並接する場合に適切である。
【実施例２】
【００３６】
図１０に示すように、実際本考案の足座３０は更に若干のキャスター３３を具有することができる。該キャスター３３を該足座３１の底部に設置することで、動かす或いは運搬する際に手間を省くことができる。
【００３７】
更に前記の実施例において、該底棒１０と屏風やスタンド、ハンギングラック、ホワイドボード、告示ボード、フェンスやハンガーなど直立して置く物体と連接するが、実際該底棒１０はまた屏風やスタンド、ハンギングラック、ホワイドボード、告示ボード、フェンスやハンガーなど直立して置く物体の底部部品とすることができ、同様に本考案が期待するのと同じ効果に達することができる。
【００３８】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００３９】
１００  回転する定位足スタンドの構造
１０  底棒
１１  頂面
１２  底面
１３  側面
１４  貫通穴
２０  定位座
２１  パイプ体
２１１  第一結合部
２２  定位部
２２１  ストッパー凸部
２２２  縦方向の凹槽
２２３  横方向の凹槽
２２４  穴
２２５  内周の底壁
３０  足座
３１  底座
３２  頂柱
３２１  内ねじ山
３３  キャスター 
４０  スプリング
５０  螺接ユニット 
５１  ネジ
５２  ワッシャ
６０  固定蓋
６１  第二結合部
９０  屏風
【図１】
0003198780.tif 000003
【図２】
0003198780.tif 000004
【図３】
0003198780.tif 000005
【図４】
0003198780.tif 000006
【図５】
0003198780.tif 000007
【図６】
0003198780.tif 000008
【図７】
0003198780.tif 000009
【図８】
0003198780.tif 000010
【図９】
0003198780.tif 000011
【図１０】
0003198780.tif 000012